(57)【特許請求の範囲】
【請求項１】
表示データを閲覧可能な携帯閲覧端末であって、
前記表示データを記憶する記憶手段と、
前記記憶手段に記憶されている前記表示データを表示する表示手段と、
指示を入力する入力手段と、
前記入力手段を介して前記表示手段に表示中の前記表示データの切り替え指示が入力された場合に、当該表示データを切り替える制御を行う表示制御手段と、
前記表示制御手段にて前記表示手段に表示中の前記表示データを切り替える制御が行われてからの経過時間を計測する時間計測手段と、
前記時間計測手段にて計測される経過時間が所定時間となった場合に、前記表示制御手段により切り替えられて表示されている表示データに関連する表示データである関連表示データの取得を要求するための信号である取得要求信号を、当該関連表示データを記憶する関連表示データ記憶装置に送信する送信手段と、
前記送信手段にて送信された前記取得要求信号に応じて前記関連表示データ記憶装置より返信される前記関連表示データを受信する受信手段と、
前記受信手段にて受信した前記関連表示データを前記記憶手段に記憶する記憶制御手段と
を備え、
前記記憶手段は、予め設定され、且つ前記表示データ毎に対応する設定時間を記憶しており、
前記経過時間が、前記表示制御手段により切り替えられて表示されている表示データに対応する設定時間となった場合に、前記送信手段は、前記取得要求信号を送信することを特徴とする携帯閲覧端末。
【請求項２】
前記記憶手段は、前記表示データのカテゴリと、前記カテゴリ毎に対応する設定時間とを記憶しており、
前記経過時間が前記表示制御手段により切り替えられて表示されている表示データのカテゴリに対応する設定時間となった場合に、前記送信手段は、前記取得要求信号を送信することを特徴とする請求項１に記載の携帯閲覧端末。
【請求項３】
前記記憶手段は、文字列の情報を有する表示データと、前記表示データ中の文字数の情報である文字数情報と、前記文字数情報に対応する設定時間とを記憶しており、
前記経過時間が、前記表示制御手段により切り替えられて表示されている表示データの文字数情報に対応する設定時間となった場合に、前記送信手段は、前記取得要求信号を送信することを特徴とする請求項１に記載の携帯閲覧端末。
【請求項４】
前記入力手段より入力される設定時間を受け付ける設定時間受付手段を備え、
前記記憶手段は、前記設定時間受付手段により受け付けた設定時間を記憶し、
前記経過時間が前記設定時間受付手段により受け付けた設定時間となった場合に、前記送信手段は、前記取得要求信号を送信することを特徴とする請求項１に記載の携帯閲覧端末。
【請求項５】
前記表示手段に表示された前記表示データが別の前記表示データに切り替えられるまでの平均時間を算出する平均時間算出手段を備え、
前記記憶手段は、前記平均時間算出手段により算出した前記平均時間に基づいて定められる設定時間を記憶しており、
前記経過時間が前記平均時間に基づいて定められた設定時間となった場合に、前記送信手段は、前記取得要求信号を送信することを特徴とする請求項１に記載の携帯閲覧端末。
【請求項６】
前記記憶手段は、文字列の情報を有する表示データと、前記表示データ中の文字数の情報である文字数情報とを記憶しており、
前記平均時間算出手段は、前記表示手段に表示された前記表示データが別の前記表示データに切り替えられるまでの平均時間を前記表示データの文字数毎に算出し、
前記経過時間が前記平均時間に基づいて定められた設定時間となった場合に、前記送信手段は、前記取得要求信号を送信することを特徴とする請求項５に記載の携帯閲覧端末。
【請求項７】
前記送信手段は、所定量以内の前記関連表示データの取得を要求する取得要求信号を送信することを特徴とする請求項１乃至６のいずれかに記載の携帯閲覧端末。
【請求項８】
前記記憶手段は、予め設定された設定量を記憶しており、
前記送信手段は、前記設定量以内の前記関連表示データの取得を要求する取得要求信号を送信することを特徴とする請求項７に記載の携帯閲覧端末。
【請求項９】
前記入力手段より入力される設定量の情報を受け付ける設定量受付手段を備え、
前記記憶手段は、前記設定量受付手段により受け付けた設定量を記憶し、
前記送信手段は、前記設定量受付手段にて受け付けた設定量の前記関連表示データの取得を要求する取得要求信号を送信することを特徴とする請求項８に記載の携帯閲覧端末。
【請求項１０】
前記関連表示データ記憶装置より受信した前記関連表示データが前記表示手段に表示されたことを示すフラグ情報を当該関連表示データに対応付けて前記記憶手段に記憶する表示済情報記憶手段と、
前記記憶手段に記憶されている前記関連表示データのうち、前記表示済情報記憶手段にて記憶された前記フラグ情報において前記表示手段に表示されたことが示されている関連表示データの割合を算出する割合算出手段と、
前記割合算出手段にて算出された割合に基づいて前記設定量を決定する設定量決定手段とを備えたことを特徴とする請求項８に記載の携帯閲覧端末。
【請求項１１】
前記記憶手段は、前記表示データに関連する前記関連表示データを記憶しているか否かの情報である関連表示データ有無情報を記憶しており、
前記関連表示データ有無情報に基づいて、前記表示制御手段により切り替えられて表示されている表示データに付随する前記関連表示データを記憶していないと判断した場合に、前記送信手段は、当該関連表示データの取得を要求するための取得要求信号を送信することを特徴とする請求項１乃至１０のいずれかに記載の携帯閲覧端末。
【請求項１２】
前記表示制御手段にて前記表示手段に表示中の前記表示データを切り替える制御が行われた場合に、
前記送信手段は、
前記関連表示データ記憶装置に対して前記関連表示データの返信準備を要求するための信号である返信準備信号を送信し、
前記経過時間が所定時間となった場合に、前記送信手段は、前記取得要求信号を送信することを特徴とする請求項１乃至１１のいずれかに記載の携帯閲覧端末。
【請求項１３】
前記携帯閲覧端末は、複数の表示データを有する章を複数有する表示コンテンツを閲覧可能であって、
前記表示制御手段は、
章の先頭の表示データである先頭表示データが前記表示手段に表示中である場合において、前記入力手段を介して、当該先頭表示データを異なる章の先頭表示データに切り替える指示が入力された場合に、前記表示手段に表示する前記先頭表示データを異なる章の先頭表示データに切り替え、
前記時間計測手段は、
前記表示制御手段にて前記表示手段に表示中の前記先頭表示データを切り替える制御が行われてからの経過時間を計測し、
前記送信手段は、
前記時間計測手段にて計測される経過時間が所定時間となった場合に、前記表示制御手段により切り替えられて表示されている先頭表示データと同一の章に属する表示データである章関連表示データの取得を要求するための信号である章取得要求信号を、前記章関連表示データを記憶する前記関連表示データ記憶装置に送信し、
前記受信手段は、
前記送信手段にて送信された前記章取得要求信号に応じて前記関連表示データ記憶装置より返信される前記章関連表示データを受信し、
前記記憶制御手段は、
前記受信手段にて受信した前記章関連表示データを前記記憶手段に記憶し、
前記入力手段を介して、前記表示手段に表示中の前記先頭表示データから、前記先頭表示データと同一章の章関連表示データに切り替える切り替え指示が入力された場合に、前記表示手段に表示中の先頭表示データを当該章関連表示データに切り替える章表示制御手段をさらに備え、
前記記憶手段は、予め設定され、且つ前記先頭表示データ毎に対応する設定時間を記憶しており、
前記経過時間が、前記先頭表示制御手段により切り替えられて表示されている先頭表示データに対応する設定時間となった場合に、前記送信手段は、前記章取得要求信号を送信することを特徴とする請求項１に記載の携帯閲覧端末。
【請求項１４】
前記関連表示データ記憶装置はサーバであることを特徴とする請求項１乃至１３のいずれかに記載の携帯閲覧端末。
【請求項１５】
コンピュータを、請求項１から請求項１４のいずれかに記載の携帯閲覧端末の各手段として機能させることを特徴とする携帯閲覧端末プログラム。
【発明の詳細な説明】
【技術分野】
【０００１】
本発明は、携帯閲覧端末及び携帯閲覧端末プログラムに関するものである。そしてより詳細には、表示データの更新時において即座に新たな表示データを表示することが可能であり、且つ無駄な通信を抑制して省電力を図ることが可能な携帯閲覧端末及び携帯閲覧端末プログラムに関するものである。
【背景技術】
【０００２】
従来、携帯閲覧端末においては、保有可能な記憶装置の容量に制約があるため、ユーザにより表示データの閲覧操作が行われた際、必要に応じてサーバ等から表示データを取得する処理を実行し、取得した表示データを表示画面に表示させていた。また、ユーザによる表示データの閲覧操作に対して迅速に表示データ表示を行うために、表示中の表示データにリンク付けされている表示データのすべてをあらかじめ取得し、操作に応じて取得しておいた表示データを表示する情報検索装置が提案されている（例えば、特許文献１参照）。
【特許文献１】特開平６−１１０９２６号公報
【発明の開示】
【発明が解決しようとする課題】
【０００３】
しかしながら、特許文献１に記載の情報検索装置では、表示中の表示データにリンク付けされている表示データのすべてがユーザにより閲覧されない場合が発生する。このような場合には、閲覧されなかった表示データの取得処理が無駄になってしまうため、表示データ取得処理に要する消費電力が嵩み、装置の省電力化を阻害してしまうという問題点があった。
【０００４】
本発明は上述の問題点を解決するためになされたものであり、表示データの更新時において即座に新たなファイルを表示することが可能であり、且つ消費電力を抑制することが可能な携帯閲覧端末及び携帯閲覧端末プログラムを提供することを目的とする。
【課題を解決するための手段】
【０００５】
上記課題を解決するために、請求項１に係る発明の携帯閲覧端末は、表示データを閲覧可能な携帯閲覧端末であって、前記表示データを記憶する記憶手段と、前記記憶手段に記憶されている前記表示データを表示する表示手段と、指示を入力する入力手段と、前記入力手段を介して前記表示手段に表示中の前記表示データの切り替え指示が入力された場合に、当該表示データを切り替える制御を行う表示制御手段と、前記表示制御手段にて前記表示手段に表示中の前記表示データを切り替える制御が行われてからの経過時間を計測する時間計測手段と、前記時間計測手段にて計測される経過時間が所定時間となった場合に、前記表示制御手段により切り替えられて表示されている表示データに関連する表示データである関連表示データの取得を要求するための信号である取得要求信号を、当該関連表示データを記憶する関連表示データ記憶装置に送信する送信手段と、前記送信手段にて送信された前記取得要求信号に応じて前記関連表示データ記憶装置より返信される前記関連表示データを受信する受信手段と、前記受信手段にて受信した前記関連表示データを前記記憶手段に記憶する記憶制御手段とを備え、前記記憶手段は、予め設定され、且つ前記表示データ毎に対応する設定時間を記憶しており、前記経過時間が、前記表示制御手段により切り替えられて表示されている表示データに対応する設定時間となった場合に、前記送信手段は、前記取得要求信号を送信することを特徴とする。
【０００６】
【０００７】
【０００８】
また、請求項２に係る発明の携帯閲覧端末は、請求項１に記載の発明の構成に加えて、前記記憶手段は、前記表示データのカテゴリと、前記カテゴリ毎に対応する設定時間とを記憶しており、前記経過時間が前記表示制御手段により切り替えられて表示されている表示データのカテゴリに対応する設定時間となった場合に、前記送信手段は、前記取得要求信号を送信することを特徴とする。
【０００９】
また、請求項３に係る発明の携帯閲覧端末は、請求項１に記載の発明の構成に加えて、前記記憶手段は、文字列の情報を有する表示データと、前記表示データ中の文字数の情報である文字数情報と、前記文字数情報に対応する設定時間とを記憶しており、前記経過時間が、前記表示制御手段により切り替えられて表示されている表示データの文字数情報に対応する設定時間となった場合に、前記送信手段は、前記取得要求信号を送信することを特徴とする。
【００１０】
また、請求項４に係る発明の携帯閲覧端末は、請求項１に記載の発明の構成に加えて、前記入力手段より入力される設定時間を受け付ける設定時間受付手段を備え、前記記憶手段は、前記設定時間受付手段により受け付けた設定時間を記憶し、前記経過時間が前記設定時間受付手段により受け付けた設定時間となった場合に、前記送信手段は、前記取得要求信号を送信することを特徴とする。
【００１１】
また、請求項５に係る発明の携帯閲覧端末は、請求項１に記載の発明の構成に加えて、前記表示手段に表示された前記表示データが別の前記表示データに切り替えられるまでの平均時間を算出する平均時間算出手段を備え、前記記憶手段は、前記平均時間算出手段により算出した前記平均時間に基づいて定められる設定時間を記憶しており、前記経過時間が前記平均時間に基づいて定められた設定時間となった場合に、前記送信手段は、前記取得要求信号を送信することを特徴とする。
【００１２】
また、請求項６に係る発明の携帯閲覧端末は、請求項５に記載の発明の構成に加えて、前記記憶手段は、文字列の情報を有する表示データと、前記表示データ中の文字数の情報である文字数情報とを記憶しており、前記平均時間算出手段は、前記表示手段に表示された前記表示データが別の前記表示データに切り替えられるまでの平均時間を前記表示データの文字数毎に算出し、前記経過時間が前記平均時間に基づいて定められた設定時間となった場合に、前記送信手段は、前記取得要求信号を送信することを特徴とする。
【００１３】
また、請求項７に係る発明の携帯閲覧端末は、請求項１乃至６のいずれかに記載の発明の構成に加えて、前記送信手段は、所定量以内の前記関連表示データの取得を要求する取得要求信号を送信することを特徴とする。
【００１４】
また、請求項８に係る発明の携帯閲覧端末は、請求項７に記載の発明の構成に加えて、前記記憶手段は、予め設定された設定量を記憶しており、前記送信手段は、前記設定量以内の前記関連表示データの取得を要求する取得要求信号を送信することを特徴とする。
【００１５】
また、請求項９に係る発明の携帯閲覧端末は、請求項８に記載の発明の構成に加えて、前記入力手段より入力される設定量の情報を受け付ける設定量受付手段を備え、前記記憶手段は、前記設定量受付手段により受け付けた設定量を記憶し、前記送信手段は、前記設定量受付手段にて受け付けた設定量の前記関連表示データの取得を要求する取得要求信号を送信することを特徴とする。
【００１６】
また、請求項１０に係る発明の携帯閲覧端末は、請求項８に記載の発明の構成に加えて、前記関連表示データ記憶装置より受信した前記関連表示データが前記表示手段に表示されたことを示すフラグ情報を当該関連表示データに対応付けて前記記憶手段に記憶する表示済情報記憶手段と、前記記憶手段に記憶されている前記関連表示データのうち、前記表示済情報記憶手段にて記憶された前記フラグ情報において前記表示手段に表示されたことが示されている関連表示データの割合を算出する割合算出手段と、前記割合算出手段にて算出された割合に基づいて前記設定量を決定する設定量決定手段とを備えている。
【００１７】
また、請求項１１に係る発明の携帯閲覧端末は、請求項１乃至１０のいずれかに記載の発明の構成に加えて、前記記憶手段は、前記表示データに関連する前記関連表示データを記憶しているか否かの情報である関連表示データ有無情報を記憶しており、前記関連表示データ有無情報に基づいて、前記表示制御手段により切り替えられて表示されている表示データに付随する前記関連表示データを記憶していないと判断した場合に、前記送信手段は、当該関連表示データの取得を要求するための取得要求信号を送信することを特徴とする。
【００１８】
また、請求項１２に係る発明の携帯閲覧端末は、請求項１乃至１１のいずれかに記載の発明の構成に加えて、前記表示制御手段にて前記表示手段に表示中の前記表示データを切り替える制御が行われた場合に、前記送信手段は、前記関連表示データ記憶装置に対して前記関連表示データの返信準備を要求するための信号である返信準備信号を送信し、前記経過時間が所定時間となった場合に、前記送信手段は、前記取得要求信号を送信することを特徴とする。
【００１９】
また、請求項１３に係る発明の携帯閲覧端末では、請求項１に記載の発明の構成に加えて、前記携帯閲覧端末は、複数の表示データを有する章を複数有する表示コンテンツを閲覧可能であって、前記表示制御手段は、章の先頭の表示データである先頭表示データが前記表示手段に表示中である場合において、前記入力手段を介して、当該先頭表示データを異なる章の先頭表示データに切り替える指示が入力された場合に、前記表示手段に表示する前記先頭表示データを異なる章の先頭表示データに切り替え、前記時間計測手段は、
前記表示制御手段にて前記表示手段に表示中の前記先頭表示データを切り替える制御が行われてからの経過時間を計測し、前記送信手段は、前記時間計測手段にて計測される経過時間が所定時間となった場合に、前記表示制御手段により切り替えられて表示されている先頭表示データと同一の章に属する表示データである章関連表示データの取得を要求するための信号である章取得要求信号を、前記章関連表示データを記憶する前記関連表示データ記憶装置に送信し、前記受信手段は、前記送信手段にて送信された前記章取得要求信号に応じて前記関連表示データ記憶装置より返信される前記章関連表示データを受信し、前記記憶制御手段は、前記受信手段にて受信した前記章関連表示データを前記記憶手段に記憶し、前記入力手段を介して、前記表示手段に表示中の前記先頭表示データから、前記先頭表示データと同一章の章関連表示データに切り替える切り替え指示が入力された場合に、前記表示手段に表示中の先頭表示データを当該章関連表示データに切り替える章表示制御手段をさらに備え、前記記憶手段は、予め設定され、且つ前記先頭表示データ毎に対応する設定時間を記憶しており、前記経過時間が、前記先頭表示制御手段により切り替えられて表示されている先頭表示データに対応する設定時間となった場合に、前記送信手段は、前記章取得要求信号を送信することを特徴とすることを特徴とする。
【００２０】
また、請求項１４に係る発明の携帯閲覧端末は、請求項１乃至１３のいずれかに記載の発明の構成に加えて、前記関連表示データ記憶装置はサーバであることを特徴とする。
【００２１】
また、請求項１５に係る発明の携帯閲覧端末プログラムは、請求項１乃至１４のいずれかに記載の携帯閲覧端末の各手段としてコンピュータを機能させる。
【発明の効果】
【００２２】
請求項１に係る発明の携帯閲覧端末では、ユーザが同一の表示データを継続して所定時間閲覧している場合に、表示中の表示データに関連する関連表示データ表示が切り替えられる可能性が高いと判断して、関連表示データをあらかじめ取得する。このことによって、ユーザによる表示切り替え指示に迅速に対応して関連表示データを表示させることが可能となるとともに、事前に取得しておく関連表示データが閲覧される可能性が高くなるため、無駄な通信を抑制して携帯閲覧端末の省電力化を図ることが可能となる。また、取得要求信号を送信するまでの時間をあらかじめ適正な時間に定めておくことによって、事前に取得しておく関連表示データが閲覧される可能性が高くなるため、無駄な通信を抑制して携帯閲覧端末の省電力化を図ることが可能となる。また、表示している表示データの内容に応じて設定時間を変更させることが可能となる。従って、関連表示データに表示が切り替えられる可能性が高い表示データについては設定時間を短く設定し、関連表示データに表示が切り替えられる可能性が低い表示データについては設定時間を長く設定することによって、事前に取得しておく関連表示データが閲覧される可能性を高めることが可能となる。
【００２３】
【００２４】
【００２５】
また、請求項２に係る発明の携帯閲覧端末では、表示している表示データのカテゴリに応じて設定時間を変更させることが可能となる。従って、請求項１に記載の発明の効果に加えて、関連表示データに表示が切り替えられる可能性が高いカテゴリの表示データについては設定時間を短くし、関連表示データに表示が切り替えられる可能性が低いカテゴリの表示データについては設定時間を長く設定することによって、事前に取得しておく関連表示データが閲覧される可能性を高めることが可能となる。
【００２６】
また、請求項３に係る発明の携帯閲覧端末では、表示している表示データの文字数に応じて設定時間を変更させることが可能となる。表示中の表示データの文字数が少ない場合には、関連表示データに切り替えられるまでの時間が短く、表示中の表示データの文字数が多い場合には、関連表示データに切り替えられるまでの時間が長くなることが想定されるため、このことを考慮して設定時間を定める。このことによって、請求項１に記載の発明の効果に加えて、事前に取得しておく関連表示データが閲覧される可能性を高めることが可能となる。
【００２７】
また、請求項４に係る発明の携帯閲覧端末では、ユーザの設定によって設定時間を変更することが可能となる。従って、請求項１に記載の発明の効果に加えて、各ユーザに最適な設定時間を設定することができ、事前に取得しておく関連表示データが閲覧される可能性を高めることが可能となる。
【００２８】
また、請求項５に係る発明の携帯閲覧端末では、請求項１に記載の発明の効果に加えて、表示手段に表示された表示データが別の表示データに切り替えられるまでの平均時間に基づいて設定時間を定めることによって、事前に取得しておく関連表示データが閲覧される可能性を高めることが可能となる。
【００２９】
また、請求項６に係る発明の携帯閲覧端末では、表示している表示データの文字数と、表示手段に表示された表示データが別の表示データに切り替えられるまでの平均時間に応じて設定時間を変更させることが可能となる。ユーザの特性を考慮し、関連表示データに切り替えられるまでの時間が短い傾向のユーザに対しては、所定時間を短くし、関連表示データに切り替えられるまでの時間が長い傾向のユーザに対しては、所定時間を長くする。このことによって、請求項５に記載の発明の効果に加えて、事前に取得しておいた関連表示データが閲覧される可能性を高めることが可能となる。
【００３０】
また、請求項７に係る発明の携帯閲覧端末では、関連表示データを必要な量だけ事前に取得しておくことが可能となる。このことによって、請求項１乃至６のいずれかに記載の発明の効果に加えて、事前に取得しておいた関連表示データが閲覧される可能性を高めることが可能となる。
【００３１】
また、請求項８に係る発明の携帯閲覧端末では、取得要求信号により要求する関連表示データのデータ量をあらかじめ適正な量に定めておくことによって、事前に取得しておく関連表示データが閲覧される可能性が高くなるため、請求項７に記載の発明の効果に加えて、無駄な通信を抑制して携帯閲覧端末の省電力化を図ることが可能となる。
【００３２】
また、請求項９に係る発明の携帯閲覧端末では、ユーザの設定によって、取得する関連表示データの設定量を変更することが可能となる。従って、請求項８に記載の発明の効果に加えて、各ユーザに最適な設定量を設定することができ、事前に取得しておく関連表示データが閲覧される可能性を高めることが可能となる。
【００３３】
また、請求項１０に係る発明の携帯閲覧端末では、関連表示データ記憶装置より受信した関連表示データ中に占める、表示手段に表示された関連表示データの割合に応じて、関連表示データ記憶装置に取得要求する関連表示データの量を決定する。このことによって、表示手段に表示された関連表示データの割合が大きい場合は、関連表示データ記憶装置に対してより多くの関連表示データを要求して受信し、表示手段に表示された関連表示データの割合が少ない場合は、関連表示データ記憶装置に対して少量の関連表示データを要求して受信することが可能となる。このことによって、請求項８に記載の発明の効果に加えて、閲覧される関連表示データの量に近い量の関連表示データを関連表示データ記憶装置より受信することが可能となる。
【００３４】
また、請求項１１に係る発明の携帯閲覧端末では、重複する関連表示データを取得するための通信を抑制する。このことによって、請求項１乃至１０のいずれかに記載の発明の効果に加えて、通信頻度を小さくすることが可能となり、通信に要する電力を抑制して機器の省電力化を図ることが可能となる。
【００３５】
また、請求項１２に係る発明の携帯閲覧端末では、関連表示データ記憶装置に対する取得要求信号の送信に先立って、返信準備信号を送信する。このことによって、関連表示データ記憶装置は、要求のあった関連表示データを携帯閲覧端末に対して返信するために必要な準備時間を確保することができる。そのため、関連表示データ記憶装置が取得要求信号を受信した場合に、迅速に関連表示データを返信することが可能となる。従って、請求項１乃至１１のいずれかに記載の発明の効果に加えて、携帯閲覧端末は、取得要求信号に対応する関連表示データを即座に受信することが可能となり、ユーザによる表示切り替え指示に素早く対応して表示データを表示させることが可能となる。
【００３６】
また、請求項１３に係る発明の携帯閲覧端末では、請求項１に記載の発明の効果に加えて、ユーザが同一の先頭表示データを継続して所定時間閲覧している場合に、表示中の先頭表示データと同一章の表示データである章関連表示データ表示に切り替えられる可能性が高いと判断して、章関連表示データをあらかじめ取得する。このことによって、ユーザによる表示切り替え指示に迅速に対応して章関連表示データを表示させることが可能となるとともに、事前に取得しておく章関連表示データが閲覧される可能性が高くなるため、無駄な通信を抑制して携帯閲覧端末の省電力化を図ることが可能となる。
【００３７】
また、請求項１４に係る発明の携帯閲覧端末では、関連表示データ又は章関連表示データはサーバに記憶されているので、請求項１乃至１３のいずれかに記載の発明の効果に加えて、携帯閲覧端末はネットワークを介して表示データを取得することが可能となる。
【００３８】
また、請求項１５に係る発明の携帯閲覧端末プログラムでは、請求項１乃至１４のいずれかに記載の携帯閲覧端末の各手段としてコンピュータを機能させることが可能となる。
【発明を実施するための最良の形態】
【００３９】
以下、本発明の携帯閲覧端末について、図面を参照して説明する。なお、これらの図面は、本発明が採用しうる技術的特徴を説明するために用いられるものであり、記載されている装置の構成、各種処理のフローチャートなどは、特に特定的な記載がない限り、それのみに限定する趣旨ではなく、単なる説明例である。
＜第一の実施の形態＞
【００４０】
以下、本発明の第一の実施の形態について説明する。はじめに、図１を参照し、携帯閲覧端末２を備えた閲覧システムの概要について説明する。図１は、携帯閲覧端末２を備えた閲覧システムを示す模式図である。図１に示すように、閲覧システムは、表示データをディスプレイ１９（図２参照）に表示させることによってユーザに当該表示データを閲覧させることが可能な携帯閲覧端末２、及び、表示データを記憶するストレージサーバ（以下、「サーバ１」という。）から構成されている。また、携帯閲覧端末２とサーバ１とは、ネットワーク１０を介して双方向に通信可能な状態となっている。そして、携帯閲覧端末２は、必要に応じてサーバ１と通信を行い、サーバ１より表示データを取得する。そして、取得した表示データをディスプレイ１９に表示させている。ここで、ネットワーク１０は有線ネットワークであっても構わないし、無線ネットワークであっても構わない。
【００４１】
次に、図２を参照し、携帯閲覧端末２の電気的構成について説明する。図２は、携帯閲覧端末２の電気的構成を示す模式図である。図２に示すように、携帯閲覧端末２は、表示データの表示制御やサーバ１との通信制御などの制御全般を実行するＣＰＵ１１、ＣＰＵ１１が駆動するための制御プログラムやパラメータ等を記憶する不揮発性記憶素子であるＲＯＭ１６、及び、各種設定情報や表示データに関連する情報等を記憶する揮発性記憶素子であるＲＡＭ１５を備えている。そして、ＣＰＵ１１とＲＯＭ１６及びＲＡＭ１５との間でデータの授受のための通信が可能なように、これらはバスを介して電気的に接続されている。
【００４２】
また、携帯閲覧端末２は、ユーザからの各種指示を受け付けるための入力部１２を備えている。そして、ユーザより入力部１２に対してなされた操作をＣＰＵ１１により検出可能なように、入力部１２とＣＰＵ１１とは電気的に接続した状態となっている。入力部１２は、ユーザからの操作をＣＰＵ１１にて検出可能なスイッチ、押しボタン、タッチパネル等のデバイスにより構成されている。
【００４３】
また、携帯閲覧端末２は、電源スイッチ１３を備えている。電源スイッチ１３は、そのＯＮ／ＯＦＦ状態をＣＰＵ１１により検出可能なように、ＣＰＵ１１と電気的に接続した状態となっている。ＣＰＵ１１は、電源スイッチ１３がＯＦＦ状態であることを検出している状態では、ディスプレイ１９（後述）への表示データの表示や入力部１２からの入力操作の検出などの処理を停止させる省電力モードに移行する。このことによって、携帯閲覧端末２の消費電力を抑制している。そして、電源スイッチ１３がＯＮ状態となったことを検出した場合に、ユーザからの入力部１２を介した操作に応じて、ディスプレイ１９に表示データを表示させる。
【００４４】
また、携帯閲覧端末２は、カウンタ１４を備えている。カウンタ１４は、ＣＰＵ１１と電気的に接続した状態となっており、ＣＰＵ１１に対して一定周期でパルスを出力する。ＣＰＵ１１は、カウンタ１４からのパルスの周期に基づいて、時間監視処理や定周期処理時における時間を判断している。
【００４５】
また、携帯閲覧端末２は、サーバ１とネットワーク１０を介して通信を行うための通信制御部２０を備えている。通信制御部２０は、ＣＰＵ１１から転送されるデータを受信してサーバ１（図１参照）に送信し、又は、サーバ１より受信したデータをＣＰＵ１１に転送することが可能なように、ＣＰＵ１１と電気的に接続した状態となっている。なお、ネットワーク１０（図１参照）が有線ネットワークである場合には、通信制御部２０には通信媒体（ＬＡＮケーブル、ＵＳＢ（登録商標）ケーブルなど）を接続させるためのコネクタ（図示外）が接続され、ネットワーク１０が無線ネットワークである場合には、通信制御部２０にはアンテナ（図示外）が接続される。
【００４６】
また、携帯閲覧端末２には、表示データを記憶したメモリカード２１を備えている。そして、ＣＰＵ１１とメモリカード２１との間でデータの授受のための通信が可能なように、メモリカード２１とＣＰＵ１１とは電気的に接続した状態となっている。
【００４７】
また、携帯閲覧端末２は、表示データを表示可能なディスプレイ１９と、ディスプレイ１９を駆動させるための表示制御部１８とを備えている。ＣＰＵ１１と表示制御部１８とは電気的に接続した状態となっている。そして、メモリカード２１に記憶された表示データをＣＰＵ１１からの制御によりディスプレイ１９に表示させることが可能な状態となっている。
【００４８】
また、携帯閲覧端末２は電池１７を備えている。そして、携帯閲覧端末２が備える上述した各種デバイスが駆動するために必要な電力を供給している。
【００４９】
次いで、携帯閲覧端末２が備えるＲＯＭ１６に設けられている記憶エリアについて説明する。図３は、ＲＯＭ１６の記憶エリアを示す模式図である。図３に示すようにＲＯＭ１６には、ＣＰＵ１１が駆動するために必要な制御プログラムが記憶されている制御プログラム記憶領域３０、プログラムが実行される際に参照されるパラメータが記憶されているパラメータ情報記憶領域３１、及びその他の記憶領域が設けられている。これらのうち、パラメータ情報記憶領域３１には、携帯閲覧端末２が表示データを取得する場合においてサーバ１に対して送信される取得要求信号の送信タイミングを決定するための設定時間や、サーバ１に対して要求する表示データの取得量を決定するための設定量等が記憶されている。ＣＰＵ１１は、プログラム実行時において、表示データの条件（カテゴリ、文字数など）に対応する設定時間及び設定量をパラメータ情報記憶領域３１より抽出する。そして、抽出した設定時間及び設定量に基づいて、設定時間決定処理（図９参照、後述）や設定量決定処理（図１５参照、後述）を実行している。
【００５０】
次いで、携帯閲覧端末２が備えるＲＡＭ１５に設けられている記憶エリアについて説明する。図４は、ＲＡＭ１５の記憶エリアを示す模式図である。図４に示すようにＲＡＭ１５には、携帯閲覧端末２が表示データを取得する場合においてサーバ１に対して送信される取得要求信号の送信タイミングを決定するための設定時間や、サーバ１に対して要求する表示データの取得量を決定するための設定量等の各種設定情報が記憶されている設定情報記憶領域３６、設定時間や設定量などの設定情報がユーザより入力部１２を介して入力された場合に、これらの設定情報が記憶されるユーザ設定情報記憶領域３７、表示データに関連する情報である表示データ関連情報が記憶される表示データ関連情報記憶領域３８、及び、ＣＰＵ１１が処理を行う場合に必要となる変数やカウンタ等が記憶される変数・カウンタ記憶領域４１、及び図示外の各種領域が設けられている。なおＲＡＭ１５に対しては常時電池１７より電源が供給された状態となっているため、電池１７の電力が枯渇しない限り、ＲＡＭ１５に記憶されている情報は保持される状態となっている。
【００５１】
次いで、携帯閲覧端末２が備えるメモリカード２１に設けられている記憶エリアについて説明する。メモリカード２１には、図示しないが、ディスプレイ１９に表示させる表示データが記憶されている。携帯閲覧端末２は、サーバ１より表示データを受信した場合、メモリカード２１に受信した表示データを記憶する。
【００５２】
次に、ＲＡＭ１５中表示データ関連情報記憶領域３８に記憶される表示データ関連情報について、図５及び図６を参照して説明する。図５及び図６は、表示データ関連情報の一例を示す模式図である。携帯閲覧端末２は、ディスプレイ１９に表示可能なすべての表示データに関する表示データ関連情報を表示データ関連情報記憶領域３８に記憶している。そしてこれらの情報を参照することにより、ディスプレイ１９に表示データを表示させる処理や、必要に応じてサーバ１より表示データを取得する処理を実行している。図５に示す例では、一例として新聞の表示データに関する表示データ関連情報を示している。図５に示すように、表示データ関連情報には、名称１１０、内容１１１、種別１１２、カテゴリ１１３、特定データ１１４、設定時間１１５、設定量１１６、文字数情報１１７、取得済みフラグ１１８、及び表示済みフラグ１１９の情報が、表示データ毎に記憶されている。
【００５３】
これらのうち名称１１０には、表示データの名称が記憶される。図５に示す例では、「１−１」「２−１」・・・の情報が記憶されている。また名称１１０は、一連の表示データの目次としての役割も有している。例えば、「１−１」の表示データがディスプレイ１９に表示された状態で、ユーザにより次の表示データに切り替える入力操作がなされた場合には、次いで「２−１」の表示データがディスプレイ１９に表示される。同様に、「２−１」の表示データがディスプレイ１９に表示された状態で、ユーザにより次の表示データに切り替える入力操作がなされた場合には、次いで「３−１」の表示データがディスプレイ１９に表示される。また例えば、「２−１」の表示データがディスプレイ１９に表示された状態で、ユーザが「２−１」の表示データに関連する表示データ（以下「関連表示データ」という。）の閲覧を希望し、関連表示データに切り替える入力操作がなされた場合には、「２−２」「２−３」の表示データが続いて表示される。
【００５４】
また内容１１１には、表示データの内容に関する情報が記憶される。図５に示す例では、「テレビ」「政治」「スポーツ」・・・となっている。また種別１１２には、表示データの種別に関する情報が記憶される。図５に示す例では、「新聞／文字」となっている。この情報は、表示データが「新聞」に関するものであり、「文字」から構成される表示データであることを示している。またカテゴリ１１３には、表示データのカテゴリの情報が記憶される。図５に示す例では、「テレビ」「政治」「スポーツ」の情報が記憶されている。
【００５５】
また特定データ１１４には、表示データに付随する関連表示データがあるかどうかの情報が記憶される（以下、関連表示データが付随する表示データを「特定データ」という。）。図５に示す例では、表示データ「１−１」「２−１」「３−１」に相当する特定データ１１４は「○」となっており、これらの表示データには関連表示データが付随しており、特定データであることを示している。また、表示データ「２−２」「２−３」に相当する特定データ１１４は「×」となっており、これらの表示データには関連表示データが付随しておらず、これらが表示データ「２−１」に付随する関連表示データであることを示している。
【００５６】
また設定時間１１５には、携帯閲覧端末２がサーバ１より表示データを取得するために送信される取得要求信号（Ｓ３１，図８参照、後述）の送信タイミングを決定するために用いられる設定時間が記憶される。また設定量１１６には、携帯閲覧端末２がサーバ１より表示データを取得する場合の取得量を決定する（図１５参照、後述）ために用いられる設定量が記憶される。また文字数情報１１７には、表示データの文字数の情報が記憶される。
【００５７】
また取得済みフラグ１１８には、既に表示データを取得してメモリカード２１に記憶された状態であるか否かの情報が記憶される。図５に示す例では、表示データ「１−１」「２−１」「３−１」に相当する取得済みフラグ１１８は「ＯＮ」となっており、これらの表示データはメモリカード２１に記憶されている状態であることを示している。また、表示データ「２−２」「２−３」に相当する取得済みフラグは「ＯＦＦ」となっており、これらの表示データはメモリカード２１に記憶されていない状態であることを示している。従って、取得済みフラグ１１８を参照することによって、ディスプレイ１９に表示データを表示させるためにサーバ１より表示データを取得する必要があるかどうかを判断することができるようになっている。
【００５８】
また表示済みフラグ１１９には、表示データがディスプレイ１９に既に表示されたものであるかどうかの情報が記憶される。図５に示す例では、表示データ「１−１」「２−１」に相当する表示済みフラグ１１９は「ＯＮ」となっており、これらの表示データは既にディスプレイ１９に表示されたことを示している。また、表示データ「２−２」「２−３」「３−１」の表示済みフラグ１１９は「ＯＦＦ」となっており、これらの表示データは未だディスプレイ１９に表示されていないことを示している。
【００５９】
また、ＲＡＭ１５中表示データ関連情報記憶領域３８に記憶されている表示データ関連情報の別例について、図６を参照して説明する。図６に示す例では、一例として取扱説明書の表示データに関する表示データ関連情報を示している。
【００６０】
図６に示すように、名称「１−１」（名称１１０）の表示データの内容１１１は「１章１節」であり、種別１１２は「説明書／文字」であり、カテゴリ１１３は「概要説明」であり、特定データ１１４は「○」で関連表示データは付随しており、設定時間１１５は「−」、及び設定量１１６は「−」であり設定されておらず、文字数情報１１７は「５０」であり、取得済みフラグ１１８は「ＯＮ」であるのでメモリカード２１に表示データが記憶されており、表示済みフラグ１１９は「ＯＮ」であるので既にディスプレイ１９に表示されたものである。また、名称「２−１」（名称１１０）の表示データの内容１１１は「２章１節」であり、種別１１２は「説明書／文字」であり、カテゴリ１１３は「使用方法」であり、特定データ１１４は「○」で関連表示データは付随しており、設定時間１１５は「２０秒」であり、設定量１１６は「４ページ」であり、文字数情報１１７は「３００」であり、取得済みフラグ１１８は「ＯＮ」であるのでメモリカード２１に記憶されており、表示済みフラグ１１９は「ＯＮ」であるので既にディスプレイ１９に表示されたものである。また、名称「２−１」に付随する関連表示データである名称「２−２」（名称１１０）の表示データの内容１１１は「２章２節」であり、種別１１２は「説明書／文字」であり、カテゴリ１１３は「使用方法」であり、特定データ１１４は「×」で関連表示データは付随しておらず、設定時間１１５は「−」であり設定されておらず、設定量１１６は「−」であり設定されておらず、文字数情報１１７は「１５０」であり、取得済みフラグ１１８は「ＯＮ」であるのでメモリカード２１に記憶されており、表示済みフラグ１１９は「ＯＦＦ」であるので未だディスプレイ１９に表示されていない。また、名称「２−１」に付随する関連表示データである名称「２−３」（名称１１０）の表示データの内容１１１は「２章３節」であり、種別１１２は「説明書／画像」であり、カテゴリ１１３は「使用方法」であり、特定データ１１４は「×」で関連表示データは付随しておらず、設定時間１１５、及び設定量１１６は「−」であり設定されておらず、文字数情報１１７は「−」であり設定されておらず、取得済みフラグ１１８は「ＯＮ」であるのでメモリカード２１に記憶されており、表示済みフラグ１１９は「ＯＦＦ」であるので未だディスプレイ１９に表示されていない。また、名称「３−１」（名称１１０）の表示データの内容１１１は「３章１節」であり、種別１１２は「説明書／文字」であり、カテゴリ１１３は「注意事項」であり、特定データ１１４は「○」で関連表示データは付随しており、設定時間１１５、及び設定量１１６は「−」であり設定されておらず、文字数情報１１７は「８０」であり、取得済みフラグ１１８は「ＯＮ」であるのでメモリカード２１に記憶されたものであり、表示済みフラグ１１９は「ＯＦＦ」であるので未だディスプレイ１９に表示されていない。
【００６１】
以上説明したように、図６に示す例における名称１１０は章及び節の情報を備えている。そして、「１−１」「２−１」「３−１」は、それぞれ「１章」「２章」「３章」の先頭の表示データであることを示している。そして、「２−２」「２−３」は、「２−１」と同じ２章の表示データであり、それぞれ「２節」「３節」の内容を含む表示データであることを示している。
【００６２】
次に、図６に示すような表示データが閲覧される場合の例について説明する。はじめに「１−１」の表示データ（内容：１章１節、カテゴリ：「概要説明」）がディスプレイ１９に表示され、ユーザにより閲覧可能となる。この状態でユーザにより次の表示データに切り替える入力操作がなされると、ディスプレイ１９は「２−１」の表示データ（内容：２章１節、カテゴリ：使用方法）に切り替わり、ユーザにより閲覧可能となる。またこの状態で、ユーザにより関連表示データに切り替える入力操作がなされると、ディスプレイ１９は「２−２」の表示データ（内容：２章２節、カテゴリ：使用方法）、及び「２−３」の表示データ（内容：２章３節、カテゴリ：使用方法）に切り替わる。またこの状態で、ユーザにより次の表示データに切り替える入力操作がなされると、ディスプレイ１９は「３―１」の表示データ（内容：３章１節、カテゴリ：注意事項）に切り替わる。このように表示データを切り替えることにより、ユーザは、携帯閲覧端末２に所望の表示データを表示させて閲覧することが可能となっている。
【００６３】
次に、携帯閲覧端末２が備えるＣＰＵ１１が実行する処理の詳細について、図７〜図９を参照して説明する。図７は、ＣＰＵ１１が実行するメイン処理のフローチャートであり、図８は、時間検知通信処理のフローチャートであり、図９は、設定時間決定処理のフローチャートである。
【００６４】
はじめに、図７を参照して、メイン処理のフローチャートについて説明する。ＣＰＵ１１は、携帯閲覧端末２の電源スイッチ１３がＯＦＦ状態となっている状態においては、常時電源スイッチ１３の状態を監視している。そして、電源スイッチ１３がＯＮ状態となったことを検出した場合に、メイン処理を起動する。
【００６５】
電源スイッチ１３がＯＮされてメイン処理が起動すると、図７に示すように、ＣＰＵ１１は、表示制御部１８を制御してディスプレイ１９に表示可能な表示データのリストを表示させ、はじめに表示させる表示データの選択をユーザに対して促す。そして、ユーザにより表示データが選択されると、ＣＰＵ１１は、選択された表示データがメモリカード２１に記憶されている場合には、表示制御部１８を制御して選択された表示データをディスプレイ１９に表示させる（Ｓ１０）。一方、選択された表示データがメモリカード２１に記憶されていない場合には、ＣＰＵ１１は、サーバ１と通信を行い表示データを取得し、取得した表示データを表示制御部１８を制御してディスプレイ１９に表示させる（Ｓ１０）。なお以下に示す実施例においては、携帯閲覧端末２は、特定データのすべてをあらかじめメモリカード２１に記憶していることを想定している。
【００６６】
次いでＣＰＵ１１は、時間検知通信処理を実行する（Ｓ１１、図８参照、後述）。時間検知通信処理では、サーバ１と通信を行い、ディスプレイ１９に表示中の表示データに付随する関連表示データをサーバ１より取得する。関連表示データは、表示中の表示データに引き続いて表示させる表示データとしてユーザにより指定される可能性が高い。従って、予め関連表示データを取得しておくことにより、ユーザによる表示内容を切り替える入力操作に即座に対応して表示を切り替えることを可能にしている（時間検知通信処理の詳細については後述する。）。
【００６７】
次いで、ＣＰＵ１１は、入力部１２を介してユーザにより表示内容を切り替える入力操作がなされたか否かを監視する（Ｓ１３）。入力部１２への入力操作を検出し、表示切り替え指示がなされたと判断した場合（Ｓ１３：ＹＥＳ）、ＣＰＵ１１は、表示制御部１８を制御して、ディスプレイ１９に表示中の表示データをユーザより指定された表示データに切り替える（Ｓ１４）。そして、Ｓ１５に移行する。一方、表示切り替えの入力操作がなされなかったと判断した場合には（Ｓ１３：ＮＯ）、特段処理を行うことなくＳ１５に移行する。
【００６８】
Ｓ１５では、ユーザにより電源スイッチ１３がＯＦＦ状態に操作されたかどうかが判断される（Ｓ１５）。ＣＰＵ１１が電源スイッチ１３のＯＦＦ状態を検出した場合には（Ｓ１５：ＹＥＳ）、メイン処理を終了し、省電力モードに移行する。一方、電源スイッチ１３のＯＦＦ状態を検出しなかった場合には（Ｓ１５：ＮＯ）、Ｓ１１に戻って、上述の処理を繰り返す。
【００６９】
ここで、携帯閲覧端末２にて表示データの閲覧が行われる場合における、メイン処理（図７）の処理概要について説明する。携帯閲覧端末２の電源スイッチ１３がＯＮされ、初めに表示される表示データが選択されると、選択された表示データがディスプレイ１９に表示される（Ｓ１０）。また、ディスプレイ１９に表示中の表示データに付随する関連表示データがサーバ１より取得される（Ｓ１１）。ここで、表示データを切り替える入力操作がなされない状態では（Ｓ１３：ＮＯ）、電源がＯＦＦされない限り（Ｓ１５：ＮＯ）、継続して表示データがディスプレイ１９に表示される。一方、表示データを切り替える入力操作がなされた場合（Ｓ１３：ＹＥＳ）、表示中の表示データが指定された表示データに切り替えられる（Ｓ１４）。そして、新たに表示中となった表示データに付随する関連表示データがサーバ１より取得される（Ｓ１５：ＮＯ→Ｓ１１）。そして、電源スイッチがＯＦＦされると（Ｓ１５：ＹＥＳ）、メイン処理は終了する。
【００７０】
次に、図８を参照し、時間検知通信処理について説明する。図８に示すように、時間検知通信処理では、はじめに、ＣＰＵ１１は、ディスプレイ１９に表示中の表示データに付随する関連表示データの有無を判断する（Ｓ１７）。付随する関連表示データが有る場合には、その関連表示データに切り替える入力操作がユーザによりなされる可能性が高い。そこで、入力操作に即座に対応して表示データを切り替えるために、関連表示データを取得するための処理を実行する（Ｓ２１〜Ｓ３３）。
【００７１】
付随する関連表示データの有無の情報は、ＲＡＭ１５中表示データ関連情報記憶領域３８の特定データ１１４に記憶されている。そこでＣＰＵ１１は、表示中の表示データに対応する特定データ１１４を参照し、関連表示データの有無を判断する。特定データ１１４が「×」となっており、付随する関連表示データが無いと判断した場合には（Ｓ１７：ＮＯ）、関連表示データを取得する必要がないので、Ｓ３７に移行する。
【００７２】
特定データ１１４が「○」となっており、付随する関連表示データがあると判断した場合には（Ｓ１７：ＹＥＳ）、表示中の表示データを関連表示データに切り替える入力操作がなされる可能性が高いので、関連表示データを予め取得しておく必要がある。但し、既にサーバ１より関連表示データを取得している場合には、サーバ１より新たに関連表示データを取得する必要はない。そこでＣＰＵ１１は、既に関連表示データを取得しており、メモリカード２１に記憶された状態であるかどうかを判断する（Ｓ１９）。メモリカード２１に記憶されているか否かの情報は、ＲＡＭ１５中表示データ関連情報記憶領域３８の取得済みフラグ１１８に記憶されている。そこでＣＰＵ１１は、表示中の表示データに付随する関連表示データに対応する取得済みフラグ１１８を参照し、関連表示データを取得済みであるかどうかを判断する。取得済みフラグ１１８が「ＯＮ」となっており、取得済みであると判断した場合には（Ｓ１９：ＹＥＳ）、サーバ１より新たに関連表示データを取得する必要はないので、Ｓ３７に移行する。一方、取得済みフラグ１１８が「ＯＦＦ」となっており、関連表示データを取得していないと判断した場合には（Ｓ１９：ＮＯ）、次いでＣＰＵ１１は、サーバ１より関連表示データを取得する処理を実行する（Ｓ２１〜Ｓ３３）。
【００７３】
関連表示データを取得する処理（Ｓ２１〜Ｓ３３）では、はじめにＣＰＵ１１は、サーバ１に対して所望の関連表示データの返信準備を要求するための信号である返信準備信号を送信する（Ｓ２１）。この返信準備信号は、サーバ１に対して関連表示データの送信準備を促すためのものである。なお、返信準備信号を受信したサーバ１は、引き続き携帯閲覧端末２より送信される取得要求信号（Ｓ３１、後述）を受信した場合に、迅速に対応して関連表示データを返信可能とするために、要求のあった関連表示データを携帯閲覧端末２に対して返信するための準備を実行する。具体的には、サーバ１が備える記憶装置（図示外）より、要求のあった関連表示データを読み出し、次いで、携帯閲覧端末２に対して関連表示データを送信するために必要な情報（同期ビット、ヘッダ情報、誤り訂正符号等）を付加して転送用メモリに記憶する。このことにより、サーバ１は、携帯閲覧端末２より取得要求信号を受信した場合、即座に転送用メモリからデータを読み出して携帯閲覧端末２に返信することが可能となる。また、携帯閲覧端末２は、所望の関連表示データの取得要求信号を送信してから実際に関連表示データを受信するまでの時間を短縮することが可能となるので、ユーザからの表示切り替え操作に即座に対応し、ディスプレイ１９の表示を切り替えて表示させることが可能となる。
【００７４】
次いでＣＰＵ１１は、時間計測用のタイマカウンタを起動させ、時間計測を開始する（Ｓ２３）。タイマカウンタは、ＲＡＭ１５の変数・カウンタ記憶領域４１に記憶されており、起動により、一定周期で随時加算される処理が開始される。また、メイン処理の表示切り替え処理（Ｓ１４、図７参照）において、ディスプレイ１９に表示中の表示データを別の表示データに切り替える処理が実行されてからの経過時間（以下、「表示経過時間」という。）を計測するために用いられる。そして、このタイマカウンタの値が、後述する設定時間決定処理（Ｓ２５）において決定された設定時間以上となった場合に、サーバ１に対して関連表示データの取得要求信号を送信している（Ｓ３１、後述）。
【００７５】
次いで、設定時間決定処理が実行される（Ｓ２５）。設定時間決定処理では、携帯閲覧端末２からサーバ１に対して送信される取得要求信号の送信タイミングを決定する。携帯閲覧端末２は、表示経過時間が設定時間以上となったタイミングで（Ｓ２７：ＹＥＳ、後述）サーバ１に対して取得要求信号を送信し（Ｓ３１、後述）、所望の関連表示データを受信する（Ｓ３３、後述）ので、設定時間を適正値に決定することにより、取得した関連表示データがユーザにより指定されディスプレイ１９に表示される可能性を高めている。
【００７６】
図９に示すように、設定時間決定処理では、はじめにＣＰＵ１１は、予めユーザより入力部１２を介して設定時間の入力操作がなされているかどうかを判断する（Ｓ６１）。ユーザより設定時間の入力操作がなされると、ＲＡＭ１５中ユーザ設定情報記憶領域３７に入力された設定時間が記憶される。そこでＣＰＵ１１は、ユーザ設定情報記憶領域３７を参照し、ユーザ設定情報記憶領域３７に設定時間が記憶されており、設定時間の入力操作がなされていると判断した場合には（Ｓ６１：ＹＥＳ）、この設定時間を表示経過時間と比較する設定時間に決定し（Ｓ７３）、ＲＡＭ１５の設定情報記憶領域３６に記憶する。そして設定時間決定処理を終了して時間検知通信処理（図８参照）に戻る。これにより、ユーザ毎に最適な設定時間を決定することが可能となる。例えば、表示データをディスプレイ１９に表示させてから関連表示データに切り替えるまでの時間が総じて長いユーザについては、設定時間を長く設定し、関連表示データに切り替えるまでの時間が総じて短いユーザについては、設定時間を短く設定する。このことにより、取得した関連表示データがユーザにより指定され、ディスプレイ１９に表示される可能性を高めることが可能となる。
【００７７】
一方、ユーザ設定情報記憶領域３７に設定時間が記憶されておらず、ユーザより予め入力部１２を介した設定時間の入力操作がなされていないと判断した場合（Ｓ６１：ＮＯ）、次いでＣＰＵ１１は、ディスプレイ１９に表示中の表示データに付随して設定時間が設定されているかどうかを判断する（Ｓ６３）。表示データに付随して設定時間が設定されると、ＲＡＭ１５中表示データ関連情報記憶領域３８の設定時間１１５に記憶される。そこでＣＰＵ１１は、表示中の表示データに対応する設定時間１１５を参照し、設定時間１１５に設定時間が記憶されており、設定時間が設定されていると判断した場合には（Ｓ６３：ＹＥＳ）、この設定時間を表示経過時間と比較する設定時間に決定し（Ｓ７５）、ＲＡＭ１５の設定情報記憶領域３６に記憶する。そして設定時間決定処理を終了して時間検知通信処理（図８参照）に戻る。これにより、表示データ毎に最適な設定時間を決定することが可能となる。例えば、情報量が多く関連表示データに切り替えるまでの時間が長いことが想定される表示データについては設定時間を長く設定し、情報量が少なく関連表示データに切り替えるまでの時間が短いことが想定される表示データについては設定時間を短く設定する。このことによって、取得した関連表示データがユーザにより指定され、ディスプレイ１９に表示される可能性を高めることが可能となる。
【００７８】
一方、表示中の表示データに対応する設定時間１１５に設定時間が記憶されておらず、表示中の表示データに付随して設定時間が設定されていないと判断した場合（Ｓ６３：ＮＯ）、次いでＣＰＵ１１は、表示中の表示データの種別が「画像」であるかどうかを判断する（Ｓ６５）。表示データの種別の情報は、ＲＡＭ１５中表示データ関連情報記憶領域３８の種別１１２に記憶されている。従ってＣＰＵ１１は、表示中の表示データに対応する種別１１２を参照し、種別１１２が「画像」となっている場合には（Ｓ６５：ＹＥＳ）、設定時間を「２秒」に決定し（Ｓ７７）、ＲＡＭ１５の設定情報記憶領域３６の設定時間に「２」を記憶する。そして、設定時間決定処理を終了して時間検知通信処理（図８参照）に戻る。これにより、画像の種別毎に最適な設定時間を決定することが可能となる。例えば、関連表示データに切り替えるまでの時間が短いことが想定される「画像」の表示データについては、設定時間を「２秒」と短く設定する。このことによって、取得した関連表示データがユーザにより指定されディスプレイ１９に表示される可能性を高めることが可能となる。
【００７９】
一方、表示中の表示データに対応する種別１１２が「画像」でない場合には（Ｓ６５：ＮＯ）、次いでＣＰＵ１１は、表示中の表示データの種別が「新聞」であるかどうかを判断する（Ｓ６７）。ＣＰＵ１１は、表示中の表示データに対応する種別１１２を参照し、種別１１２が「新聞」となっている場合には（Ｓ６７：ＹＥＳ）、次いでＣＰＵ１１は、表示中の表示データのカテゴリが「政治」であるかどうかを判断する（Ｓ６９）。表示データのカテゴリの情報は、ＲＡＭ１５中表示データ関連情報記憶領域３８のカテゴリ１１３に記憶されている。従ってＣＰＵ１１は、表示中の表示データに対応するカテゴリ１１３を参照し、カテゴリ１１３が「政治」となっている場合には（Ｓ６９：ＹＥＳ）、設定時間を「１０秒」に決定し（Ｓ７９）、ＲＡＭ１５の設定情報記憶領域３６の設定時間に「１０」を記憶する。そして、設定時間決定処理を終了して時間検知通信処理（図８参照）に戻る。
【００８０】
一方、表示中の表示データのカテゴリが「政治」でなく（Ｓ６９：ＮＯ）、表示中の表示データに対応するカテゴリ１１３が「スポーツ」となっている場合には（Ｓ７１：ＹＥＳ）、設定時間を「５秒」に決定し（Ｓ８１）、ＲＡＭ１５の設定情報記憶領域３６の設定時間に「５」を記憶する。そして、設定時間決定処理を終了して時間検知通信処理（図８参照）に戻る。
【００８１】
一方、表示中の表示データの種別が「新聞」でない場合（Ｓ６７：ＮＯ）、及び、種別が「新聞」であって（Ｓ６７：ＹＥＳ）、カテゴリが「政治」「スポーツ」のいずれでもない場合（Ｓ６９：ＮＯ、Ｓ７１：ＮＯ）、設定時間を「３秒」に決定し（Ｓ８３）、ＲＡＭ１５の設定情報記憶領域３６に「３」を記憶する。そして、設定時間決定処理を終了して時間検知通信処理（図８参照）に戻る。
【００８２】
このように設定時間を決定することにより、表示中の表示データの種別、及びカテゴリに基づいた設定時間を決定することができる。例えば、種別が「画像」である表示データやカテゴリが「スポーツ」である表示データは、関連表示データに切り替える入力操作がなされるまでの時間が短いことが想定されるため、設定時間を短く設定する。一方、カテゴリが「政治」である表示データは、関連表示データに切り替える入力操作がなされるまでの時間が長いことが想定されるため、設定時間を長く設定する。このことにより、取得した関連表示データがユーザの入力操作により指定され、ディスプレイ１９に表示される可能性を高めることが可能となる。
【００８３】
Ｓ２５における設定時間決定処理（図９参照）により設定時間が決定すると、図８に示す時間検知通信処理では、Ｓ２３において起動したタイマカウンタに基づく表示経過時間と、決定した設定時間とが比較される（Ｓ２７）。表示経過時間が設定時間に満たない状態では（Ｓ２７：ＮＯ）、未だサーバ１に対して取得要求信号を送信するタイミングではないので、ＣＰＵ１１は、入力部１２の状態を監視し、表示中の表示データを切り替える入力操作がなされたかどうかを常時判断する（Ｓ４１）。表示切り替えの入力操作がなされない状態では（Ｓ４１：ＮＯ）、Ｓ２７に戻り、継続して表示経過時間と設定時間との比較処理が実行される。
【００８４】
そして、表示経過時間が決定した設定時間以上になった場合（Ｓ２７：ＹＥＳ）、ＣＰＵ１１は、所望の関連表示データをサーバ１に要求するための取得要求信号をサーバ１に対して送信する（Ｓ３１）。サーバ１側では、既に返信準備信号を受信しており（Ｓ２１参照）、要求された関連表示データを返信する準備がなされているので、即座に携帯閲覧端末２に対して要求された関連表示データが送信される。
【００８５】
そしてＣＰＵ１１は、サーバ１より返信される関連表示データを受信する（Ｓ３３）。そして、受信した関連表示データをメモリカード２１に記憶し（Ｓ３４）、ＲＡＭ１５中表示データ関連情報記憶領域３８における受信した関連表示データに対応する取得済みフラグ１１８を「ＯＮ」として取得済みの状態とする（Ｓ３５）。
【００８６】
次いで、切替待ちフラグの状態を確認する（Ｓ３７）。切替待ちフラグは、表示経過時間を監視している期間中（Ｓ２７）において、ユーザにより表示中の表示データを別の表示データに切り替える入力操作がなされた場合にＯＮとされるフラグである（Ｓ４７参照、後述）。このフラグがＯＮとなっている場合には、既にユーザにより表示内容の切り替え入力操作がなされているので、即座に表示データをディスプレイ１９に表示させる必要がある。そこで、切替待ちフラグがＯＮされている場合には（Ｓ３７：ＹＥＳ）、ディスプレイ１９に表示データを表示させる（Ｓ４９）。そして、ＯＮとなっていた切替待ちフラグをＯＦＦとし（Ｓ５１）、Ｓ１７に戻って上述の処理を繰り返す。
【００８７】
一方、切替待ちフラグがＯＦＦとなっている場合には（Ｓ３７：ＮＯ）、未だユーザより表示内容の切り替え入力操作がなされておらず、表示中の表示データを切り替える必要はないので、そのまま時間検知通信処理を終了してメイン処理（図７参照）に戻り、Ｓ１３（図７参照）においてユーザより表示内容の切り替え入力操作がなされた場合に、表示データを切り替える処理を実行する（Ｓ１４、図７参照）。
【００８８】
一方、表示経過時間を設定時間と比較している期間中（Ｓ２７：ＮＯ→Ｓ４１）において、ユーザにより表示中の表示データを別の表示データに切り替える入力操作がなされた場合、携帯閲覧端末２は、即座に表示データを切り替える必要がある。そこでＣＰＵ１１は、表示データを切り替える入力操作がなされたことを検知すると（Ｓ４１：ＹＥＳ）、取得要求信号を即座にサーバ１に対して送信可能とするために、起動中のタイマカウンタを停止して（Ｓ４３）、経過時間の監視を終了する。
【００８９】
次いでＣＰＵ１１は、切り替えて表示するべき表示データが、メモリカード２１に記憶されているか否かを判断する（Ｓ４５）。メモリカード２１に表示データが記憶されているか否かの情報は、ＲＡＭ１５中表示データ関連情報記憶領域３８の取得済みフラグ１１８に記憶されているので、切り替えて表示する表示データに対応する取得済みフラグ１１８を参照し、取得済みフラグがＯＮとなっており、表示データを取得済みであるかどうかを判断する。取得済みであると判断した場合には（Ｓ４５：ＹＥＳ）、既にサーバ１より切り替えて表示する表示データを取得済みであり、新たに取得する必要はない。そこでＣＰＵ１１は、表示中の表示データを切り替え、メモリカード２１に記憶されている表示データをディスプレイ１９に表示させる（Ｓ４９）。そして、切替待ちフラグをＯＦＦとし（Ｓ５１）、Ｓ１７に戻って上述の処理を繰り返す。
【００９０】
一方、取得済みフラグ１１８がＯＦＦとなっており、切り替えて表示するべき表示データを未だ取得していないと判断した場合には（Ｓ４５：ＮＯ）、切り替えて表示させる表示データをサーバ１より取得する必要がある。本実施の形態においては、表示データのうち特定データについてはあらかじめメモリカード２１に記憶されていることを想定しているので、ここでサーバ１より取得するべき表示データとして対象となるのは関連表示データということになる。そこでＣＰＵ１１は、既にユーザにより表示内容の切り替え入力操作がなされていることを示す切替待ちフラグをＯＮとする（Ｓ４７）。そして、Ｓ３１に戻り、サーバ１より関連表示データを取得する（Ｓ３１〜Ｓ３４）。そして、切替待ちフラグがＯＮとなっているので（Ｓ３７：ＹＥＳ）、表示制御部１８を制御して取得した関連表示データをディスプレイ１９に表示させる（Ｓ４９）。
【００９１】
以上説明したように、携帯閲覧端末２は、ディスプレイ１９に表示データを表示させた場合、表示中の表示データに付随する関連表示データをあらかじめ取得する。このことによって、ユーザからの表示切り替え入力操作に即座に対応して表示内容を切り替えることが可能となっている。また、サーバ１に対して送信される取得要求信号の送信タイミングを、ユーザからの設定や取得する表示データの内容等に基づいて決定する。このことにより、取得した表示データがユーザにより閲覧される可能性を高めることが可能となり、サーバ１との無駄な通信を抑制して省電力化を図ることが可能となる。
【００９２】
なお、携帯閲覧端末２が備えるＲＡＭ１５、ＲＯＭ１６、及びメモリカード２１が、本発明の「記憶手段」に相当し、ディスプレイ１９が、本発明の「表示手段」に相当し、入力部１２が、本発明の「入力手段」に相当する。また、図７のＳ１４、及び図８のＳ４９において、表示中の表示データを切り替える制御を行うＣＰＵ１１が、本発明の「表示制御手段」に相当し、図８のＳ２３においてタイマカウンタを起動し、表示経過時間を計測する処理を行うＣＰＵ１１が、本発明の「時間計測手段」に相当する。また、図１のサーバ１が、本発明の「関連表示データ記憶装置」に相当する。また、図８のＳ３１において、サーバ１に取得要求信号を送信する処理を行うＣＰＵ１１、及びＳ２１において、サーバ１に返信準備信号を送信する処理を行うＣＰＵ１１が、本発明の「送信手段」に相当し、Ｓ３３において関連表示データを受信する処理を行うＣＰＵ１１が、本発明の「受信手段」に相当し、Ｓ３４において受信した関連表示データをメモリカード２１に記憶する処理を行うＣＰＵ１１が、本発明の「記憶制御手段」に相当する。また、ユーザにより入力部１２を介して入力される設定時間を受け付ける処理を行うＣＰＵ１１が、本発明の「設定時間受付手段」に相当する。また、ＲＡＭ１５中表示データ関連情報記憶領域３８における取得済みフラグ１１８の情報が、本発明の「関連表示データ有無情報」に相当する。また、ＣＰＵ１１が駆動するための制御プログラムであって、ＲＯＭ１６に記憶されている制御プログラムが、本発明の「携帯閲覧端末プログラム」に相当する。
【００９３】
また、図６における「１−１」「２−１」「３−１」の表示データが、本発明の「先頭表示データ」に相当し、「１−１」の表示データの表示中に「２−１」の表示データに切り替える入力操作がなされた場合、及び、「２−１」の表示データの表示中に「３−１」の表示データに切り替える入力操作がなされた場合に、図７のＳ１４、及び図８のＳ４９において表示中の表示データを切り替える制御を行うＣＰＵ１１が、本発明の「先頭表示制御手段」に相当し、「２−１」の表示データの表示中に「２−２」の表示データに切り替える入力操作がなされた場合に、図７のＳ１４、及び図８のＳ４９において表示データを「２−２」に切り替える制御を行うＣＰＵ１１が、本発明の「章表示制御手段」に相当する。また、図６の表示データ関連情報に基づいて、図８のＳ２３においてタイマカウンタを起動し表示経過時間を計測する処理を行うＣＰＵ１１が、本発明の「先頭時間計測手段」に相当し、図６における「２−２」「２−３」の表示データが、本発明の「章関連表示データ」に相当し、図６の表示データ関連情報に基づいて送信される取得要求信号が、本発明の「章取得要求信号」に相当し、図６の表示データ関連情報に基づいて、図８のＳ３１において、サーバ１に取得要求信号を送信する処理を行うＣＰＵ１１、及びＳ２１において、サーバ１に返信準備信号を送信する処理を行うＣＰＵ１１が、本発明の「章送信手段」に相当し、Ｓ３３において関連表示データを受信する処理を行うＣＰＵ１１が、本発明の「章受信手段」に相当し、Ｓ３４において受信した関連表示データをメモリカード２１に記憶する処理を行うＣＰＵ１１が、本発明の「章記憶制御手段」に相当する。
【００９４】
なお、本発明の携帯閲覧端末２は、前述した第一の実施の形態に限定されるものではなく、本発明の要旨を逸脱しない範囲において各種の変形が可能なことは言うまでもない。本実施の形態においては、関連表示データを記憶する関連表示データ記憶装置としてサーバ１を想定したが、これに限定されるものではない。従って、関連表示データ記憶装置が、携帯閲覧端末２が備える他の記憶装置であっても構わない。なお、この記憶装置のアクセス速度が遅いような場合には、予め関連表示データを取得しておき、メモリカード２１に記憶しておくことによって、ユーザからの表示切り替え入力操作に即座に対応して表示データを切り替えることができるという効果を奏することが可能となる。
＜第二の実施の形態＞
【００９５】
以下、本発明の第二の実施の形態について説明する。図１０は、第二の実施の形態における設定時間決定処理のフローチャートである。尚、閲覧システムのシステム構成（図１参照）、閲覧端末の電気的構成（図２参照）、メモリ構成（図３、図４）、及び設定時間決定処理を除く処理のフローチャート（図７、図８）については、上述の第一の実施の形態と同様であるので、説明を省略する。
【００９６】
第二の実施の形態では、表示中の表示データの文字数に基づいて設定時間が決定される。図１０に示すように、設定時間決定処理においては、ＣＰＵ１１は、表示中の表示データの文字数が「２００」以下であるかどうかを判断する（Ｓ１０１）。表示データの文字数の情報は、ＲＡＭ１５中表示データ関連情報記憶領域３８の文字数情報１１７に記憶されている。従ってＣＰＵ１１は、表示中の表示データに対応する文字数情報１１７を参照し、文字数情報１１７に「２００」以下の値が記憶されている場合には（Ｓ１０１：ＹＥＳ）、設定時間を「２秒」に決定し（Ｓ１０５）、設定情報記憶領域３６の設定時間に「２」を記憶する。そして、設定時間決定処理を終了して時間検知通信処理（図８参照）に戻る。
【００９７】
また、表示中の表示データに対応する文字数情報１１７が「２０１〜４００」となっている場合には（Ｓ１０１：ＮＯ、Ｓ１０３：ＹＥＳ）、設定時間を「４秒」に決定し（Ｓ１０７）、設定情報記憶領域３６の設定時間に「４」を記憶する。そして、設定時間決定処理を終了して時間検知通信処理（図８参照）に戻る。
【００９８】
また、表示中の表示データに対応する文字数情報１１７が「４０１」以上となっている場合には（Ｓ１０３：ＮＯ）、設定時間を「６秒」に決定し（Ｓ１０９）、設定情報記憶領域３６の設定時間に「６」を記憶する。そして、設定時間決定処理を終了して時間検知通信処理（図８参照）に戻る。
【００９９】
以上説明したように、取得要求信号の送信タイミングを決定する設定時間を、表示データの文字数に応じて決定する。そして、文字数が少なく、関連表示データに切り替える入力操作がなされるまでの時間が短いことが想定される表示データについては設定時間を短くし、文字数が多く、関連表示データに切り替えるまでの時間が長いことが想定される表示データについては設定時間を長くする。このことにより、取得した関連表示データがユーザにより指定されディスプレイ１９に表示される可能性を高めることが可能となる。
＜第三の実施の形態＞
【０１００】
以下、本発明の第三の実施の形態について説明する。図１１は、第三の実施の形態におけるメイン処理のフローチャートであり、図１２は、第三の実施の形態における設定時間決定処理のフローチャートであり、図１３は、第三の実施の形態における平均時間算出処理のフローチャートである。なお、閲覧システムのシステム構成（図１参照）、閲覧端末の電気的構成（図２参照）、メモリ構成（図３、図４）、及び、時間検知通信処理のフローチャート（図８）については、上述の第一の実施の形態と同様であるので、説明を簡略化又は省略する。
【０１０１】
第三の実施の形態では、表示データがディスプレイ１９に表示されてから別の表示データに切り替えられるまでの時間（以下、「表示時間」という。）の平均値を算出し、この平均値に基づいて設定時間が決定される。第一の実施の形態と同様、ＣＰＵ１１は、ユーザにより電源スイッチ１３が操作されてＯＮ状態となり、これを検知した場合に図１１のメイン処理を起動する。
【０１０２】
図１１に示すように、第一の実施の形態と同様にＣＰＵ１１は、ユーザによりはじめにディスプレイ１９に表示させるデータとして選択された表示データをメモリカード２１より読み出し、ディスプレイ１９に表示させる（Ｓ１３０）。次いで、後述する平均時間算出処理（Ｓ１３６）を実行するために必要な変数の初期化処理を実行する（Ｓ１３１）。平均時間算出処理において用いられる変数は表示中の表示データの文字数毎に区分されている。ＣＰＵ１１は、表示データの文字数が２００以下の場合に用いられる変数「Ａ０」「Ａ１」「Ａ２」「Ａ３」に「３」を記憶し、文字数が２０１〜４００の場合に用いられる変数「Ｂ０」「Ｂ１」「Ｂ２」「Ｂ３」に「７」を記憶し、文字数が４０１以上の場合用いられる変数「Ｃ０」「Ｃ１」「Ｃ２」「Ｃ３」に「１５」を記憶する（Ｓ１３１）。なおこれらの変数のうち、「Ａ３」「Ｂ３」「Ｃ３」には、平均時間算出処理（Ｓ１３６）において算出される表示時間の平均時間が記憶される。またその他の変数は、表示時間の平均時間（「Ａ３」「Ｂ３」「Ｃ３」）を算出するために使用され、表示時間が随時記憶される。従って、平均時間の初期値は、表示データの文字数が２００以下の場合は「３」（＝「Ａ３」）となり、表示データの文字数が２０１〜４００の場合は「７」（＝「Ｂ３」）となり、表示データの文字数が４０１以上の場合は「１５」（＝「Ｃ３」）となる。
【０１０３】
次いでＣＰＵ１１は、時間検知通信処理を実行する（Ｓ１３３、図８参照）。時間検知通信処理では、サーバ１と通信を行い、ディスプレイ１９に表示中の表示データに付随する関連表示データをサーバ１より取得する。時間検知通信処理では、＜第一の実施の形態＞において説明したように、表示中の表示データに付随する関連表示データが有る場合であって（Ｓ１７：ＹＥＳ）、未だサーバ１よりこの関連表示データを取得していない状態である場合（Ｓ１９：ＹＥＳ）、ＣＰＵ１１は、サーバ１に対して返信準備信号を送信し（Ｓ２１）、表示中の表示データを切り替える入力操作がなされてからの経過時間である表示経過時間を監視するためにタイマカウンタを起動する（Ｓ２３）。そして、サーバ１に対して取得要求信号を送信する送信タイミングを決定するために、設定時間決定処理を実行する（Ｓ２５）。
【０１０４】
次いで、第三の実施の形態における設定時間決定処理について、図１２を参照して説明する。はじめにＣＰＵ１１は、表示中の表示データの文字数が「２００」以下であるかどうかを判断する（Ｓ１５１）。表示データの文字数の情報は、ＲＡＭ１５中表示データ関連情報記憶領域３８の文字数情報１１７に記憶されている。従ってＣＰＵ１１は、表示中の表示データに対応する文字数情報１１７を参照し、文字数情報１１７が「２００」以下となっている場合には（Ｓ１５１：ＹＥＳ）、設定時間を「（Ａ３−１）秒」に決定し（Ｓ１５５）、設定情報記憶領域３６の設定時間に「（Ａ３−１）」を記憶する。そして、設定時間決定処理を終了して時間検知通信処理（図８参照）に戻る。
【０１０５】
また、表示中の表示データに対応する文字数情報１１７が「２０１〜４００」となっている場合には（Ｓ１５１：ＮＯ、Ｓ１５３：ＹＥＳ）、設定時間を「（Ｂ３−１）秒」に決定し（Ｓ１５７）、設定情報記憶領域３６の設定時間に「Ｂ３−１」を記憶する。そして、設定時間決定処理を終了して時間検知通信処理（図８参照）に戻る。
【０１０６】
また、表示中の表示データに対応する文字数情報１１７が「４０１」以上となっている場合には（Ｓ１５３：ＮＯ）、設定時間を「（Ｃ３−１）秒」に決定し（Ｓ１５９）、設定情報記憶領域３６の設定時間に「Ｃ３−１」を記憶する。そして、設定時間決定処理を終了して時間検知通信処理（図８参照）に戻る。
【０１０７】
以上説明したように、サーバ１に対して送信される取得要求信号の送信タイミングを、表示時間の平均時間に基づいて決定する。表示時間の平均時間は、言い換えれば、表示データを別の表示データに切り替える入力操作がなされるまでの時間の平均時間であるので、平均時間の経過時に切り替え後の表示データを取得していれば、ユーザからの切り替え入力操作に即座に対応して表示内容を切り替えられる可能性が高いことになる。また、サーバ１より取得した表示データがユーザにより指定される可能性を高めるためには、サーバ１に対して表示データの返信を要求する取得要求信号を送信するタイミングは、可能な限り遅い方が好ましい。よって本実施の形態では、表示時間の平均時間から「１」減算した値を設定時間として決定している。このことにより、ユーザからの切り替え入力操作に即座に対応することが可能であると共に、取得した表示データがユーザにより指定される可能性を高めることが可能となる。
【０１０８】
設定時間が決定されると、時間開始通信処理（図８参照）では、表示経過時間と決定された設定時間とが比較される（Ｓ２７）。そして、表示経過時間が設定時間以上となった場合に（Ｓ２７：ＹＥＳ）、所望の関連表示データの取得を要求するための取得要求信号がサーバ１に対して送信される（Ｓ３１）。そして、サーバ１より返信される関連表示データを受信して（Ｓ３３）、メモリカード２１に記憶して（Ｓ３４）時間開始通信処理は終了する。
【０１０９】
時間開始通信処理（図８参照）の後、ＣＰＵ１１は、図１１に示すように、入力部１２より表示内容を切り替える入力操作がなされるかどうかを判断する（Ｓ１３４）。そして、表示切り替えの入力操作がなされた場合には（Ｓ１３４：ＹＥＳ）、Ｓ２３にて起動したタイマカウンタの値が表示時間として記憶され（Ｓ１３５）、平均時間決定処理（Ｓ１３６）が実行される。
【０１１０】
平均時間算出処理について、図１３を参照して説明する。平均時間算出処理では、表示時間の平均時間が算出される。算出された表示時間の平均時間は、既述の設定時間決定処理（図１２参照）。において設定時間を決定するために用いられる。はじめにＣＰＵ１１は、表示中の表示データの文字数が「２００」以下であるかどうかを判断する（Ｓ１６１）。表示データの文字数の情報は、ＲＡＭ１５中表示データ関連情報記憶領域３８の文字数情報１１７に記憶されている。従ってＣＰＵ１１は、表示中の表示データに対応する文字数情報１１７を参照し、文字数情報１１７が「２００」以下となっている場合には（Ｓ１６１：ＹＥＳ）、「Ａ１」に記憶されている値を「Ａ２」に記憶し（Ｓ１６５）、「Ａ０」に記憶されている値を「Ａ１」に記憶し（Ｓ１６７）、そして、Ｓ１３５（図１１参照）において記憶した表示時間を「Ａ０」に記憶する（Ｓ１６９）。そして、「Ａ２」「Ａ１」及び「Ａ０」の値の平均値を算出するために、「Ａ２」「Ａ１」及び「Ａ０」の加算結果を「３」にて除算する（（Ａ０＋Ａ１＋Ａ２）／３）。そして算出した結果を表示時間の平均値として「Ａ３」に記憶する（Ｓ１７１）。そして平均時間算出処理を終了し、メイン処理（図１１参照）に戻る。このように、表示データが別の表示データに切り替えられる度に以上の演算を実行することにより、文字数が「２００」以下である表示データの過去３回分の表示時間の平均値を算出している。
【０１１１】
また、表示中の表示データに対応する文字数情報１１７に「２０１〜４００」の値が記憶されている場合には（Ｓ１６１：ＮＯ、Ｓ１６３：ＹＥＳ）、「Ｂ１」に記憶されている値を「Ｂ２」に記憶し（Ｓ１７３）、「Ｂ０」に記憶されている値を「Ｂ１」に記憶し（Ｓ１７５）、Ｓ１３４（図１１参照）において記憶した表示時間を「Ｂ０」に記憶する（Ｓ１７７）。そして、「Ｂ２」「Ｂ１」及び「Ｂ０」の値の平均値を算出するために、「Ｂ２」「Ｂ１」及び「Ｂ０」の加算結果を「３」にて除算する（（Ｂ０＋Ｂ１＋Ｂ２）／３）。そして算出した結果を表示時間の平均値として「Ｂ３」に記憶する（Ｓ１７９）。そして平均時間算出処理を終了し、メイン処理（図１１参照）に戻る。このように、表示データが別の表示データに切り替えられる度に以上の演算を実行することにより、文字数が「２０１〜４００」である表示データの過去３回分の表示時間の平均値を算出している。
【０１１２】
また、表示中の表示データに対応する文字数情報１１７が「４０１」以上となっている場合には（Ｓ１６３：ＮＯ）、「Ｃ１」に記憶されている値を「Ｃ２」に記憶し（Ｓ１８１）、「Ｃ０」に記憶されている値を「Ｃ１」に記憶し（Ｓ１８３）、そして、Ｓ１３４（図１１参照）において記憶した表示時間を「Ｃ０」に記憶する（Ｓ１８５）。そして、「Ｃ２」「Ｃ１」及び「Ｃ０」の値の平均値を算出するために、「Ｃ２」「Ｃ１」及び「Ｃ０」の加算結果を「３」にて除算する（（Ｃ０＋Ｃ１＋Ｃ２）／３）。そして算出した結果を表示時間の平均値として「Ｃ３」に記憶する（Ｓ１８７）。そして平均時間算出処理を終了し、メイン処理（図１１参照）に戻る。このように、表示データが別の表示データに切り替えられる度に以上の演算を実行することにより、文字数が「４０１」以上である表示データの過去３回分の表示時間の平均値を算出している。
【０１１３】
以上のように算出された表示時間の平均値は、図１１に示すように、メイン処理（図１１参照）が繰り返し実行される中で、設定時間決定処理（Ｓ１３３、図１２参照）において「１」減算され（Ｓ１５５、Ｓ１５７、Ｓ１５９、図１２参照）、設定時間として決定される。
【０１１４】
平均時間算出処理（Ｓ１３６、図１３参照）にて平均時間が算出された後、メイン処理では、図１１に示すように、Ｓ１３４において入力操作された表示切り替え指示に応じ、ディスプレイ１９に表示中の表示データを切り替える（Ｓ１３７）。そしてＳ１４１に移行する。
【０１１５】
Ｓ１４１においてＣＰＵ１１は、ユーザにより電源スイッチ１３が操作され、ＯＦＦ状態とされたかどうかを判断する（Ｓ１４１）。電源スイッチ１３のＯＦＦ状態を検出した場合には（Ｓ１４１：ＹＥＳ）、ＣＰＵ１１はメイン処理を終了し、省電力モードに移行する。一方、電源スイッチ１３のＯＦＦ状態を検出しなかった場合には（Ｓ１４１：ＮＯ）、Ｓ１３３に戻って、上述の処理を繰り返す。
【０１１６】
以上説明したように、表示時間の平均時間に基づいて設定時間を決定することにより、最適な送信タイミングでサーバ１に対して取得要求信号を送信することが可能となる。このことによって、取得した表示データがユーザにより指定され、ディスプレイ１９に表示される可能性を高めることが可能となるので、無駄な通信を抑制して携帯閲覧端末２の省電力化を図ることが可能となる。
【０１１７】
なお、図１１のＳ１３７において、表示中の表示データを切り替える制御を行うＣＰＵ１１が、本発明の「表示制御手段」に相当し、図１３のＳ１７１、Ｓ１７９、及びＳ１８７において、表示時間の平均時間を算出する処理を行うＣＰＵ１１が、本発明の「平均時間算出手段」に相当する。
【０１１８】
なお、本発明の携帯閲覧端末２は、前述した第三の実施の形態に限定されるものではなく、本発明の要旨を逸脱しない範囲において各種の変形が可能なことは言うまでもない。
【０１１９】
上記実施の形態においては、表示データの文字数毎に過去３回分の表示時間を記憶し、これらの平均値を算出することにより、表示時間の平均時間を算出したが、この算出方法に限定されるものではない。従って、表示時間の平均時間を算出するために記憶する表示時間は３回以外であってもよい。なお、サーバ１より取得する表示データがユーザにより指定されディスプレイ１９に表示される可能性を高めるためには、平均時間を算出するために記憶する表示時間は多い方が好ましい。さらに上記実施の形態においては、平均時間を算出するために用いる変数をあらかじめ所定値にて初期化し、平均時間を算出するために記憶する表示時間の数が３回に満たない場合は、所定値に基づいて平均時間を算出した。しかしながら、平均時間の算出方法は上述の方法に限定させるものではない。従って、例えば、記憶する表示時間の数を限定せず、記憶する表示時間の数のすべてを用いて平均時間を算出してもよい。
【０１２０】
また、上記の実施の形態においては、表示中の表示データの文字数毎に平均時間を算出して記憶していたが、これに限定されるものではない。従って、表示中の表示データの「名称」「種別」「カテゴリ」毎に平均時間を算出して記憶しても構わない。
＜第四の実施の形態＞
【０１２１】
以下、本発明の第四の実施の形態について説明する。図１４は、第四の実施の形態におけるメイン処理のフローチャートであり、図１５は、時間検知通信処理（図８参照）におけるＳ２７とＳ３１との間であってＳ３１の直前に実行される設定量決定処理のフローチャートであり、図１６は、第四の実施の形態における履歴集計処理のフローチャートである。なお、閲覧システムのシステム構成（図１参照）、閲覧端末の電気的構成（図２参照）、メモリ構成（図３、図４）、時間検知通信処理及び設定時間決定処理のフローチャート（図８、図９）については、上述の第一の実施の形態と同様であるので、説明を省略する。
【０１２２】
第四の実施の形態では、携帯閲覧端末２がサーバ１より取得した関連表示データのデータ数に占めるディスプレイ１９に表示された関連表示データのデータ数の割合（以下「表示割合」という。）を算出し、この表示割合に基づいて、サーバ１より取得する関連表示データのページ数の情報（以下、単に「ページ数」という。）が決定される。そして、サーバ１より決定されたページ数の関連表示データを取得する。なおこのページ数の情報（「Ｚ」、図１６参照、後述）は、メイン処理（図１４参照、後述）が終了した後もその値は保持される。
【０１２３】
図１４に示すように、第一の実施の形態と同様にＣＰＵ１１は、ユーザによりはじめにディスプレイ１９に表示させるデータとして選択された表示データをメモリカード２１より読み出し、ディスプレイ１９に表示させる（Ｓ２００）。次いでＣＰＵ１１は、記憶されているページ数「Ｚ」を読み出す（Ｓ２０１）。
【０１２４】
次いでＣＰＵ１１は、時間検知通信処理を実行する（Ｓ２０３、図８参照）。時間検知通信処理では、サーバ１と通信を行い、ディスプレイ１９に表示中の表示データに付随する関連表示データをサーバ１より取得する。時間検知通信処理では、＜第一の実施の形態＞において説明したように、表示中の表示データに付随する関連表示データがある場合であって（Ｓ１７：ＹＥＳ）、未だサーバ１よりこの関連表示データを取得していない場合（Ｓ１９：ＹＥＳ）、ＣＰＵ１１は、サーバ１に対して返信準備信号を送信し（Ｓ２１）、ディスプレイ１９に表示させている表示データの切り替えがなされてからの経過時間である表示経過時間を監視するためにタイマカウンタを起動する（Ｓ２３）。そして、サーバ１に対して取得要求信号を送信する送信タイミングを決定するために、設定時間決定処理を実行する（Ｓ２５）。そして設定時間が決定されると、表示経過時間と設定時間とが比較される（Ｓ２７）。そして、表示経過時間が設定時間以上となった場合に（Ｓ２７：ＹＥＳ）、設定量決定処理が決定される（図１５参照）。
【０１２５】
設定量決定処理においては、ＣＰＵ１１は、サーバ１より取得する関連表示データの最適な取得量を決定する。携帯閲覧端末２は、適当な量の関連表示データをサーバ１より受信することにより、サーバ１より取得したにもかかわらずユーザにより切り替え入力操作がなされずにディスプレイ１９に表示されない関連表示データの量を抑制することができる。そのためＣＰＵ１１は、取得する関連表示データの最適な量（設定量）を決定する処理を実行することによって、無駄な通信を抑制して低消費電力化を図ることが可能となる。
【０１２６】
図１５を参照して、設定量決定処理について説明する。図１５に示すように、設定量決定処理では、はじめにＣＰＵ１１は、予めユーザより入力部１２を介してページ数の入力操作がなされているかどうかを判断する（Ｓ９１）。ユーザよりページ数の入力操作がなされると、ＲＡＭ１５中ユーザ設定情報記憶領域３７に入力されたページ数が記憶される。そこでＣＰＵ１１は、ユーザ設定情報記憶領域３７を参照し、ユーザ設定情報記憶領域３７に設定量が記憶されており、ページ数の設定操作が実行されていると判断した場合には（Ｓ９１：ＹＥＳ）、このページ数をサーバ１より取得する関連表示データのページ数として決定し（Ｓ９５）、ＲＡＭ１５の設定情報記憶領域３６の設定量に記憶する。そして設定量決定処理を終了し、時間検知通信処理（図８参照）のＳ３１に移行して、決定したページ数の情報を包含する取得要求信号をサーバ１に対して送信する（Ｓ３１）。このようにページ数を決定することにより、例えば、関連表示データの閲覧量が総じて多いユーザについては、ページ数を多く設定し、閲覧量が総じて少ないユーザについては、ページ数を少なく設定することで、サーバ１より取得したにもかかわらずディスプレイ１９に表示されない関連表示データの量を抑制することが可能となる。
【０１２７】
一方、ユーザ設定情報記憶領域３７に設定量が記憶されておらず、ユーザより予め入力部１２を介してページ数の入力操作が実行されていないと判断した場合（Ｓ９１：ＮＯ）、次いでＣＰＵ１１は、ディスプレイ１９に表示中の表示データに付随してページ数が設定されているかどうかを判断する（Ｓ９３）。表示データに付随してページ数が設定されると、ＲＡＭ１５中表示データ関連情報記憶領域３８の設定量１１６に記憶される。そこでＣＰＵ１１は、表示中の表示データに対応する設定量１１６を参照し、設定量１１６にページ数が記憶されており、設定済みであると判断した場合には（Ｓ９３：ＹＥＳ）、このページ数をサーバ１より取得する関連表示データのページ数として決定し（Ｓ９７）、ＲＡＭ１５の設定情報記憶領域３６の設定量に記憶する。そして設定量決定処理を終了し、時間検知通信処理（図８参照）のＳ３１に移行して、決定したページ数の情報を包含する取得要求信号をサーバ１に対して送信する（Ｓ３１）。このようにページ数を決定することにより、例えば、新聞記事などのように、冒頭に見出しや表題が記載されており冒頭部分を閲覧すれば内容の概要が理解できるような表示データについては、閲覧される関連表示データの量が少ないことが想定されるのでページ数を少なく設定し、テレビ番組表のように、全体として一連の情報を成すような表示データについては、閲覧される関連表示データの量が多いことが想定されるのでページ数を多く設定する。このことによって、サーバ１より取得したにもかかわらずディスプレイ１９に表示されない表示データの量を抑制することが可能となる。
【０１２８】
一方、設定量１１６に設定量が記憶されておらず、表示中の表示データに付随してページ数が設定されていないと判断した場合（Ｓ９３：ＮＯ）、サーバ１より取得する関連表示データのページ数を、メイン処理のＳ２００（図１４参照）にて読み出した「Ｚページ」として決定し（Ｓ９９）、設定情報記憶領域３６の設定量「Ｚ」とする。そして、設定量決定処理を終了し、時間検知通信処理（図８参照）のＳ３１に移行して、決定したページ数の情報を包含する取得要求信号をサーバ１に対して送信する（Ｓ３１）。
【０１２９】
サーバ１は、携帯閲覧端末２からの取得要求信号を受信すると、取得要求信号に含まれているページ数に基づいて返信する関連表示データのページ数を定め、携帯閲覧端末２に返信する。携帯閲覧端末２は、サーバ１より返信された関連表示データを受信して（Ｓ３３）、メモリカード２１に記憶し（Ｓ３４）、時間開始通信処理は終了される。
【０１３０】
時間開始通信処理（図８参照）の後、ＣＰＵ１１は、図１４に示すように、入力部１２を介してユーザより表示中の表示データを切り替える入力操作がなされたかどうかを判断する（Ｓ２０５）。入力操作がなされた場合には（Ｓ２０５：ＹＥＳ）、表示中の表示データを指定された表示データに切り替えて表示させる（Ｓ２０７）。そして、ＲＡＭ１５中表示データ関連情報記憶領域３８の表示済みフラグをＯＮとし（Ｓ２０９）、Ｓ２１１に移行する。一方ＣＰＵ１１は、表示切り替えの入力操作がなされない場合には（Ｓ２０５：ＮＯ）、特段の処理を行わずＳ２１１に移行する。
【０１３１】
Ｓ２１１においては、ＣＰＵ１１は、ユーザにより電源スイッチ１３が操作され、ＯＦＦ状態とされたかどうかを判断する（Ｓ２１１）。電源スイッチ１３のＯＦＦ状態を検出しなかった場合には（Ｓ２１１：ＮＯ）、Ｓ２０３に戻って、上述のメイン処理を繰り返す。一方、電源スイッチ１３のＯＦＦ状態を検出した場合には（Ｓ２１１：ＹＥＳ）、履歴集計処理（Ｓ２１３、図１６参照）を実行する。
【０１３２】
図１６を参照し、履歴集計処理について説明する。履歴集計処理では、携帯閲覧端末２がサーバ１より取得した関連表示データのデータ数に占めるディスプレイ１９に表示された関連表示データのデータ数の割合である表示割合を算出する。図１６に示すように、まずＣＰＵ１１は、関連表示データの数を累計する（Ｓ２１５）。関連表示データであるか否かは、ＲＡＭ１５の表示データ関連情報記憶領域３８の特定データ１１４に記憶されている。そこでＣＰＵ１１は、表示データ関連情報記憶領域３８を参照し、特定データ１１４が「×」となっており、特定データでなく関連表示データであると判断した表示データを抽出してその数を累計する（累計した数を「Ｚ１」とする。）。次いでＣＰＵ１１は、抽出した関連表示データのうちで、ディスプレイ１９に既に表示された表示データの数を累計する（Ｓ２１７）。表示済みであるかどうかの情報は、ＲＡＭ１５の表示データ関連情報記憶領域３８の表示済みフラグ１１９に記憶されている。そこでＣＰＵ１１は、表示データ関連情報記憶領域３８を参照し、表示済みフラグ１１９が「ＯＮ」となっており、既に表示済みであると判断した表示データを抽出してその数を累計する（累計した数を「Ｚ２」とする。）。
【０１３３】
次いでＣＰＵ１１は、「Ｚ２／Ｚ１」を算出し、表示割合を算出する。そして、算出した表示割合が「０．３」未満である場合には（Ｓ２１９：ＹＥＳ）、Ｚを「２」で除算した値をページ数に決定し（Ｓ２２３）、「Ｚ」に記憶して処理を終了し、履歴集計処理を終了する。また、算出した表示割合が「０．８」より大きい場合には（Ｓ２１９：ＮＯ、Ｓ２２１：ＹＥＳ）、Ｚに「２」を乗算してページ数に決定し（Ｓ２２５）、「Ｚ」に記憶して処理を終了し、履歴集計処理を終了する。また、算出した表示割合が「０．２」以上「０．８」以下である場合には（Ｓ２２１：ＮＯ）、Ｚの値をそのままページ数に決定し（Ｓ２２７）、履歴集計処理を終了する。
【０１３４】
履歴集計処理にて算出されたページ数「Ｚ」は、電源スイッチ１３がＯＦＦされた後も保持される。従って、新たに電源スイッチ１３がＯＮされてメイン処理が起動された場合、このＺの値が読み出され（Ｓ２００、図１４参照）、設定量決定処理（図１５参照）において、ユーザによりページ数の入力操作がなされておらず（Ｓ９１：ＮＯ）、ディスプレイ１９に表示中の表示データに付随した設定量が設定されていない場合に（Ｓ９３：ＮＯ）、ページ数として決定される。
【０１３５】
以上説明したように、サーバ１より取得する関連表示データの取得量を、ユーザからの設定や取得する関連表示データの内容等に応じて決定することにより、取得した関連表示データがユーザにより閲覧される可能性を高めることが可能となる。さらに、携帯閲覧端末２がサーバ１より取得した関連表示データのデータ数に占めるディスプレイ１９に表示された関連表示データのデータ数の割合である表示割合を履歴情報として算出し、表示割合に基づいて設定量を決定する。このことにより、表示割合が小さく、ディスプレイ１９に表示されていない関連表示データを多く取得している場合には、新たにサーバ１より取得する関連表示データの量を少なく決定し、表示割合が大きく、ディスプレイ１９に表示されていない取得済みの関連表示データが少ない場合には、新たにサーバ１より取得する関連表示データの量を大きく決定することによって、サーバ１との無駄な通信を抑制して省電力を図ることが可能となる。
【０１３６】
なお、ユーザにより入力部１２を介して入力される設定量を受け付ける処理を行うＣＰＵ１１が、本発明の「設定量受付手段」に相当し、図１４のＳ２０９において、ディスプレイ１９に表示した表示データに対応するＲＡＭ１５中表示データ関連情報記憶領域３８の表示済みフラグ１２０に表示済みの情報を記憶する処理を行うＣＰＵ１１が、本発明の「表示済情報記憶手段」に相当し、図１６のＳ２２３、Ｓ２２５、及びＳ２２７において、表示割合を算出する処理を行うＣＰＵ１１が、本発明の「割合算出手段」に相当し、図１５のＳ９９において、設定量を表示割合に基づいて決定する処理を行うＣＰＵ１１が、本発明の「設定量決定手段」に相当する。
【０１３７】
なお、本発明の携帯閲覧端末２は、前述した第四の実施の形態に限定されるものではなく、本発明の要旨を逸脱しない範囲において各種の変形が可能なことは言うまでもない。本実施の形態においては、サーバ１より取得する表示データのページ数を設定量として算出し、このページ数に基づいて取得要求信号を送信し、サーバ１より表示データを取得していたが、これに限定されるものではない。従って、設定量としてデータ容量を算出し、このデータ容量に基づいて取得要求信号を送信しても構わない。
【図面の簡単な説明】
【０１３８】
【図１】携帯閲覧端末２を備えた閲覧システムを示す模式図である。
【図２】携帯閲覧端末２の電気的構成を示す模式図である。
【図３】ＲＯＭ１６の記憶領域を示す模式図である。
【図４】ＲＡＭ１５の記憶領域を示す模式図である。
【図５】表示データ関連情報記憶領域３８を示す模式図である。
【図６】表示データ関連情報記憶領域３８を示す模式図である。
【図７】メイン処理のフローチャートである。
【図８】時間検知通信処理のフローチャートである。
【図９】設定時間決定処理のフローチャートである。
【図１０】第二の実施の形態における設定時間決定処理のフローチャートである。
【図１１】第三の実施の形態におけるメイン処理のフローチャートである。
【図１２】第三の実施の形態における設定時間決定処理のフローチャートである。
【図１３】第三の実施の形態における平均時間算出処理のフローチャートである。
【図１４】第四の実施の形態におけるメイン処理のフローチャートである。
【図１５】第四の実施の形態における設定量決定処理のフローチャートである。
【図１６】第四の実施の形態における履歴集計処理のフローチャートである。
【符号の説明】
【０１３９】
１    サーバ
２    携帯閲覧端末
１０    ネットワーク
１２    入力部
１９    ディスプレイ
２０    通信制御部
２１    メモリカード
３０    制御プログラム記憶領域
３６    設定情報記憶領域
３７    ユーザ設定情報記憶領域
３８    表示データ関連情報記憶領域
【図１】
0005169358.tif 000002
【図２】
0005169358.tif 000003
【図３】
0005169358.tif 000004
【図４】
0005169358.tif 000005
【図５】
0005169358.tif 000006
【図６】
0005169358.tif 000007
【図７】
0005169358.tif 000008
【図８】
0005169358.tif 000009
【図９】
0005169358.tif 000010
【図１０】
0005169358.tif 000011
【図１１】
0005169358.tif 000012
【図１２】
0005169358.tif 000013
【図１３】
0005169358.tif 000014
【図１４】
0005169358.tif 000015
【図１５】
0005169358.tif 000016
【図１６】
0005169358.tif 000017